(57)【特許請求の範囲】
【請求項１】
釣竿のリール装着部に設けた前側フードと後側フードとの間の領域であってリール載置面を下にした状態で左右側方となる２つの面の内少なくとも一方の面に、該リール装着部を把持した場合の中指か薬指か小指が上下方向に滑ることを防止できる滑り止め用の、竿の長手方向に延伸した複数本の凸条を設け、
前側フードの開口縁前端より前側のリール装着部の側面であって、リール載置面を下にした状態で上下半分に分割するラインよりも上側に偏位した位置に、左右側方となる２つの面の内少なくとも一方の面に前側が上側に向く方向に傾斜した膨出部を複数個設け、該複数個の膨出部は竿管の長手方向に並んでいる
ことを特徴とする釣竿。
【発明の詳細な説明】
【０００１】
【発明の属する技術分野】
本発明は、リール装着部を有する釣竿に関する。
【０００２】
【従来の技術】
リールをリール装着部に装着した状態で、このリール装着部を把持して釣りを行なう場合がある。例えば、本出願人による特開平８−１９３５５号公報には、リールとしてスピニングリールを装着して釣りを行なう際に強く握って釣竿操作できるように、親指載置用の段差状指掛け部が形成されたリール装着部の構造が開示されている。これは単に、リール装着部を強く握持して釣竿操作するためであるが、スピニングリールにはブレーキレバーを装備したタイプのものがある。これを装着した釣竿では、そのレバーを人差し指で操作しつつリール装着部を把持して釣竿操作することがある。
【０００３】
【発明が解決しようとする課題】
この場合、人差し指をブレーキレバーの先部操作部にまで伸ばして適宜なレバー操作をするため、親指も単なる強い握持の場合のように、竿の円周の接線方向に向かって段差状指掛け部等を押付けるようにして力を入れるのと異なり、幾分斜め前方向に向かって力を入れると共に、残り３本の指の把持力の方をより大きくする。更にはまた、ブレーキレバーの有無に拘わらず、リール装着部を把持した手の指（通常、人差し指）で釣糸を操作することがある。こうした場合に、把持する力を入れられるのは中指と薬指と小指とである。従って、把持状態が不安定になり易く、快適な釣竿操作のためにその安定化が課題となる。
依って本発明は、スピニングリールを装着したリール装着部を把持しつつ、ブレーキレバーを操作したり、釣糸を操作する場合に、安定した把持が可能な釣竿の提供を目的とする。
【０００４】
【課題を解決するための手段】
上記目的に鑑み、本発明では請求項１において、釣竿のリール装着部に設けた前側フードと後側フードとの間の領域であってリール載置面を下にした状態で左右側方となる２つの面の内少なくとも一方の面に、該リール装着部を把持した場合の中指か薬指か小指が上下方向に滑ることを防止できる滑り止め用の、竿の長手方向に延伸した複数本の凸条を設け、前側フードの開口縁前端より前側のリール装着部の側面であって、リール載置面を下にした状態で上下半分に分割するラインよりも上側に偏位した位置に、左右側方となる２つの面の内少なくとも一方の面に前側が上側に向く方向に傾斜した膨出部を複数個設け、該複数個の膨出部は竿管の長手方向に並んでいることを特徴とする釣竿を提供する。
中指か薬指か小指が上下方向に滑ることを防止できるため、リール装着部を把持した手の人差し指で釣糸を操作したり、ブレーキレバーを操作したりする場合に、把持が安定する。
【０００５】
【発明の実施の形態】
以下、本発明を添付図面に示す実施形態例に基づき、更に詳細に説明する。
図１は本発明に係る釣竿に、スピニングリールを装着して釣りを行っている状態の側面図である。繊維強化樹脂製の元竿竿管１０に、図２以降に示す筒状のリールシート１２が外側に被さるようにこれを挿入し、竿管１０の所定位置に接着等によって固定している。ここでは筒状リールシートは合成樹脂によって成形しているが、繊維強化樹脂や金属等によって成形してもよい。
【０００６】
筒状リールシート１２には固定フード１４が形成されており、該固定フードとは長手方向反対側に雄ねじ１２Ｎが形成されており、更には、固定フードとは径方向反対側であって、長手方向に離れた位置の表面部に長手方向に沿った溝１２Ｍが形成されている。この溝に係止させて回転を防止しつつ長手方向に移動自在な移動フード１６を配設し、この移動フードの後ろに係止したナット部材１８が、前記雄ねじ１２Ｎに螺合されており、回転することによって移動フード１６を前後に移動させる。
【０００７】
筒状リールシートの上記固定フードと移動フードとの間領域がリール載置面２０であり、ここにスピニングリール２２等のリールの足２２Ａを載置させつつ固定フード内に押し込み、ナット部材によって移動フードを移動させてリールの足を保持固定する。装着固定したスピニングリールを下方にし、該スピニングリールに対して前方に突出して設けられているブレーキレバー２２Ｌの先部下側に人差し指に係止させるようにリール装着部を把持する。ここでは人差し指と中指との間にリールの脚を挟んで把持しているが、その他でもよい。親指の根元部付近（掌）は、筒状リールシートの、リール載置面２０とは径方向反対側において、外方向に緩やかに膨出した本体膨出部１２Ｂに載置されている。
【０００８】
この場合、親指が斜め前方向に指向し、レバーを引く操作を行う度に親指にはその指向方向に幾分かの力が入る。通常、釣竿は概ね断面円形であり、このリール装着部も筒状のリールシート１２によって形成されているため概ね断面円形であって親指は滑り易い。そこで親指の指向方向に対して交差する方向ＲＬに延伸した膨出部２４を筒状リールシート１２の側部表面に形成している。従って、図２に示すように、この膨出部の平面視形状の延伸方向、即ち、膨出部の輪郭の幅中心を通るラインＲＬの、釣竿の先部を左側にした側面視による釣竿の中心軸線ＣＬの前側から時計回り方向に測った角度θは１０度〜８０度の範囲から選定する。このラインＲＬ方向は親指の指向方向と概ね直交することが好ましい。この例では、一方の側面に３個の膨出部２４が形成されているが、夫々の膨出部２４の形態は、既述の如く複数個の斑点状の膨出部要素の集合（例えば３個の膨出部要素の集合）であっても、その複数個の要素を結んだ方向が概ね傾斜状であればよい。
【０００９】
図３の矢視線Ｅ−Ｅによる横断面であって、筒状リールシートのみの断面を図５に示す。この断面位置では外周は円形であるが、上下方向に長い楕円形であっても良い。膨出部２４は筒状リールシートの両側に配設されており、リール装着部を右手で把持しても、左手で把持しても、親指の滑り止めがなされるが、何れか一側のみであってもよい。この形態例では夫々の側に、３個ずつを長手方向に並べて設けている。図２に示すように、その平面視形状が細長い膨出部２４は、その幅ＢＷが３ｍｍ程度であり、長さＢＬが１２ｍｍ程度であり、その中心ラインＲＬ間隔（ピッチ）ＰＷが４．５ｍｍ程である。また、膨出部はリール載置面２０を下側にした状態で上下半分に分割するラインＬＬよりも上側に偏位しており、しかもラインＬＬ近傍に設けられている。更には、各膨出部２４が長手方向に沿って並設されている。膨出部２４のその周囲に対する膨出高さは、０．２〜２ｍｍの範囲内であって、また、図５に示すように周囲領域に対して滑らかに膨出している。従って、繰り返し親指が接触しても、痛さが防止される。
【００１０】
図３は図２の矢視線Ｃによる上面図であり、図４は矢視線Ｄによる下面図である。前側フードである固定フード１４の開口縁１４Ｋの前端位置Ｐ１から前方に離隔した小距離Ｌ１と大距離Ｌ２との範囲内に３個の膨出部２４が設けられている。Ｌ１は１０ｍｍ以上であり、Ｌ２は８０ｍｍ以下である。このようにブレーキレバー２２Ｌ付きのスピニングリール２２を装着してレバーを操作しつつリール装着部を把持した場合の親指の滑り止め作用を果たす膨出部は全て位置Ｐ１から１０〜８０ｍｍの範囲内に位置している。しかし、これをはみ出して膨出部が設けられていてもよい。
【００１１】
上記長手方向範囲において、リール載置面２０の側とは径方向反対側には膨出部２４と同程度の高さを有して幅がミリのオーダーの他の膨出部が存在しない。このため、両軸受型リールを使用した場合に、把持した手への違和感が防止できる。緩やかに膨出した本体膨出部１２Ｂは幅がミリのオーダーではなく更に広く、把持した場合に掌に馴染み、違和感はない。
【００１２】
上記形態例では、リール装着部が筒状リールシートで形成されており、このため膨出部はリールシート１２に形成されているが、これに限らず任意であり、リールシートが板状であって、リール装着部が竿管１０自体を含んで形成されていれば、その竿管表面に直接形成されていることもある。
膨出部２４は筒状リールシート等の釣竿外周部の平滑な面に設けられるとは限らず、該膨出部と比較して平面視と高さが夫々微小な突起が多数配設された状態と共に設けられることもある。この場合、滑りがより効果的に防止できる。例えば、膨出部を設ける他に更に滑り止め粒子の混入された塗装を施す等である。
【００１３】
膨出部２４の平面視形状は任意であるが、上記形態例のように既述の角度θの方向に細長い形状が好ましい。また、高さは既述の０．２〜２ｍｍであって、平面視形状が円形等の斑点状の膨出部が概ね角度θの方向に複数個並んでいてもよい。角度θ方向に延伸した膨出部は竿管の長手方向に２個以上並んでいる。更には、前側フードの開口縁前端Ｐ１より前方のリール装着部表面に、既述の高さを有して平面視形状が円形等の斑点状膨出部が任意に多数配設されていても既述の場合の親指の滑り止めに効果があるが、本願のように傾斜角度θの方向性を持った膨出部であって、その周囲、特に周囲の内、竿尻側表面（実施例の３個の内の真中の膨出部２４について言えば、竿尻側に隣り合った膨出部との間の領域）に親指の先部を押し付けることのできる程度の広さであって、膨出部の高さの基準領域（膨出部よりもその膨出高さだけ低い領域）を有することが、痛さを感ずること無く、効果的に滑り止めできてより好ましい。
【００１４】
以上に述べた傾斜角度θは好ましくは１０〜６０度であり、更に好ましくは１５〜３０度である。膨出部の高さは、０．３〜１．５ｍｍがより好ましい。また、リール足を固定するためのフードは固定フードと移動フードとは限らず、両方が移動フードであってもよく、また、前側が固定フードとは限らないが、前側が固定フードであれば把持して各種操作をしても緩まず、好適である。
【００１５】
リール載置面２０に対応する長手方向位置におけるリール載置部の左右側面１２Ｓには、図６に示すように長手方向に延伸した複数本の凸条による指の滑り止めＳＤが設けられている。図１のようにスピニングリールを把持した場合に、この場合は中指と人差し指がこの側面１２Ｓに接触しており、把持状態のこれらの指が概ね上下方向に滑ることを防止すべく設けられている。この凸条の高さは０．２〜２．２ｍｍ程度の範囲であって、０．３〜１．８ｍｍ程度がより好ましい。また、図４に示すように、指で把持し易いようにこの部位の左右幅Ｗ１は、前側のフードである固定フードの幅Ｗ０よりも狭く形成されている。左右側面の何れか一方だけに滑り止めが設けられていても両面に設けられていてもよい。
【００１６】
上記滑り止めＳＤはリールシート本体と同じ材料で一体に形成されていてもよく、別体に別部材で形成されたものをリールシート本体の成形時に一体化させたり、成形後に接着等によって一体化させてもよい。複数本の凸条で構成されているが、これに限らず、上記高さ程度に突出した斑点状凸部が複数個長手方向に並び、全体として凸条と同様な滑り止め作用を果たしてもよい。また、斑点状凸部がランダムに配置されて、全体として滑り止めを果たしてもよい。更には、凸に限らず、夫々同様な形態の凹形態に形成してもよい。凹み深さは０．５ｍｍ程度が好ましい。また、塗料の中に滑り止め粒子を混入した滑り止め塗装を施してもよい。この粒子の大きさは、上記高さ程度を粒子直径の範囲とすることが好ましい。
【００１７】
回動不能に規制された移動フード１６の側面にも上記滑り止めＳＤと同様に長手方向に延伸した複数本の凸条による滑り止めＳＤ’が設けられており、その変形例も上記滑り止めＳＤの場合と同様である。また、この移動フードの側面１６Ｓ間の左右幅は上下幅（高さ）に比べて狭く、しかも、側面１６Ｓは上下の面等に比較して曲率が小さく、より平面状である。ここでは（図１では）、この移動フードには小指の先部と薬指の側部が当接しており、上記構成によってこれらの指が滑り難く構成されている。従って、把持が安定する。
【００１８】
移動フードの後ろに係止されたナット部材１８の後半領域１８Ｒには、滑り止め用に長手方向に延伸した窪みが円周方向に分散配置されており、ナット部材を締結したり弛めたりする際に操作手の指の滑りを防止する。しかし、その前側領域１８Ｆには凹凸を設けてはおらず、後側領域に比較して滑り易く構成している。従って、もしリール装着部を把持した手の小指等が当接することがあっても、指の把持力によってナット部材が不用意に回転して弛むことが防止できる。
【００１９】
【発明の効果】
以上の説明から明らかなように本発明によれば、スピニングリールを装着したリール装着部を把持しつつ、ブレーキレバーを操作したり、釣糸を操作する場合に、安定した把持が可能な釣竿の提供が可能になる。
【図面の簡単な説明】
【図１】  図１は本発明に係る釣竿の使用中の側面図である。
【図２】  図２は図１のリール装着部を構成する筒状リールシートの側面図である。
【図３】  図３は図２の矢視線Ｃによる上面図である。
【図４】  図４は図２の矢視線Ｄによる下面図である。
【図５】  図５は図３の矢視線Ｅ−Ｅによる拡大横断面図であり、正確な比率で形態例が描かれている。
【図６】  図１のリール装着部付近の拡大側面図である。
【符号の説明】
１０                  元竿竿管
１２                  筒状リールシート
１４                  固定フード
１４Ｋ                前側フードの開口縁
１６                  移動フード
１８                  ナット部材
２４                  膨出部
Ｐ１                  前側フードの開口縁の前端位置
ＳＤ，ＳＤ’          滑り止め
【図１】
0003748354.tif 000002
【図２】
0003748354.tif 000003
【図３】
0003748354.tif 000004
【図４】
0003748354.tif 000005
【図５】
0003748354.tif 000006
【図６】
0003748354.tif 000007